(57)【特許請求の範囲】
【請求項１】
握り部１の先端に、上下が開口した打込収納カバー６を間隔をおいて取付け、この内側に、上部にハンマー打設部４を設けたステップル打込部５を上下動自在に設け、このステップル打込部５を上下動させる押上げレバー２を前記握り部１の先端側に設け、前記打込収納カバー６の前面にステップル挿入口７を形成すると共に、これと対向する握り部１の前面に磁石９を取付けたことを特徴とするステップル打込工具。
【発明の詳細な説明】
【技術分野】
【０００１】  本発明は平行電線（ＶＶＦケーブル）を木材等にステップルで止めることのできるステップル打込工具に関するものである。
【背景技術】
【０００２】  従来から、配線工事において平形電線（ＶＶＦケーブル）を木材等に止める手段は、コの字形状のステップルを手に持って電線に挟みハンマーで打つことが知られている。しかし、この手作業で行う手段は、打ち損じると指を打ち怪我をする危険性や、ステップルが曲がってやり直すこともあり、安全に打ち込むための工具が提案されている。（例えば、特許文献１参照）。
【先行技術文献】
【特許文献】
【０００３】
【特許文献１】  特開平１０−２９１１７２公報
【発明の概要】
【発明が解決しようとする課題】
【０００４】  しかしながら、連結ステップルを使用する機能を持つと、ステップルを円滑に送ることができないこともあり、また、電線の修正機能を備えると、電線案内溝が長いために、狭い場所で使用することが困難である。そこで、本発明は、多種類の機能を持たず、ハンマー打設時の、強い衝撃に耐えるためにも、強固で簡素な構造にして、ステップルが木材等に円滑に打ち込みができるステップル打込工具を提供することを課題とする。
【課題を解決するための手段】
【０００５】  この問題を解決するために、単体のステップル８を磁石９に吸着保持させて打ち込む手段にして、コの字形状のステップル挿入口７を、本体の正面に設けたことを特徴とする。この打ち込み手段の構造は、ステップル８を円滑に下方に移動し、安定的な打ち込みができ、さらに、ステップル８を早く本体に入れることが可能になる。【０００６】  また、電線押え部１０を短くすることによって、電線を容易に強く押さえることができるので打ち込み易く、さらに、握り部１を電線挾持部から高い位置にすることで、手の差し込み空間が多くなり、狭い施工場所でも作業が行い易くなる。【０００７】  ハンマー打設部４はステップル８を打ち込む手段と共に、どの位、打ち込まれたか判断する役割を持つために、手動で操作する押上げレバー２を設けたことを特徴とする。押上げレバー２を押すと、ハンマー打設部４とステップル打込部５が上方に上がる。次にハンマーＨで、ハンマー打設部４を打つと、ステップル８が電線Ｄを挟み木材Ｍに打ち込まれる。その時、打ち込まれた分だけハンマー打設部４は下がり、自動復帰することはないので打ち込み深さが判断される。打ち込み後に、ハンマー打設部４を上方に復帰させる手段としてバネ等を使用しないで手動で操作する押上げレバー２を設けたことによって、打ち込み状況が確認できる。【０００８】  ステップル打込部５はステップル８が電線Ｄに止着するのに最適な位置で止まる長さにしてある。そのために、ハンマーＨで何度打ち込んでも、木材Ｍに打込み過ぎることはない。【０００９】  単体のステップルは市販品を使用できるので、専用の連結ステップルよりも安価で、また、入手し易い便利さを持っている。
【発明の効果】
【００１０】  本発明のステップル打込工具は、ステップル挿入口を正面に設けることにより、打ち込込み手段の構造が簡易になり、安定して円滑に単体のステップルを木材等に移動することが可能になる。また、このステップル打込工具は、打ち込み具合や、打ち込み過ぎ防止の働きも有しているので安心して打ち込むことができ、さらに、手の差し込み空間が多いので電線の押さえが容易になり、壁面や天井面、そして、狭い場所でも電線止着作業が安全にできるという効果を発揮するものである。
【図面の簡単な説明】
【００１１】
【図１】  本発明の全体斜視図
【図２】  打ち込み部周辺の斜視図
【図３】  打ち込み前の断面図
【図４】  打ち込み後の断面図
【図５】  ステップル当て部の拡大断面図
【発明を実施するための形態】
【００１２】  以下、本発明の実施の形態を図１〜図５に基づいて説明する。
【００１３】  図１は本発明のステップル打込み工具の全体斜視図である。本体を手で持つ握り部１と打込み手段のハンマーＨで叩くハンマー打設部４、そして、ステップル８を打ち込むためのステップル打込部５を備えている。また、ハンマー打設部４を上方に上げる押上げレバー２がレバー収納部３の中に設けられ、レバー軸１２を支点として可動する。
【００１４】  図２は打ち込み部周辺の斜視図で、ステップル８をステップル挿入口７に入れる前の状態を示している。打込収納カバー６の前面に設けられたステップル挿入口７はステップル８が入るためにコの字形状をしているが、上下の長さはステップル８の脚部よりも、少し短くしている。これは、ステップル８が打ち込む時にステップル挿入口７方向に動かず安定した打ち込みを可能にするためである。そのために、ステップル８を入れる時にはステップル挿入口７に脚部の先端から入れる。また、電線当て部１０の半楕円形状は、電線Ｄを確実に押さえるために電線規格の外径寸法を基準にしている。
【００１５】  図３の（ａ）図はステップル８を打ち込む前の側面の断面図である。（ｂ）図は（ａ）図に示したＡ−Ａ部の断面図である。ステップル８はステップル挿入口７から入れると磁石９に吸着されて、ステップル出口１３の上部で止まる。
【００１６】  図４の（ａ）図はステップル８を打ち込み後の側面の断面図である。（ｂ）図は（ａ）図に示したＡ−Ａ部の断面図である。ハンマーＨでハンマー打設部４を叩くとステップル８がステップル出口１３から射出し、木材Ｍに打ち込まれて電線Ｄは止着される。ステップル８は、ステップル打込部５の長さにより、木材Ｍに一定の深さで止まる。
【００１７】  図５はステップル当て部１４の拡大断面図である。ステップル打込部５の下部にあるステップル当て部１４の面は半円状にしている。この形状で、ステップル８は確実に保持され、ステップル挿入口７方向に擦れることなく、安定して下方に打ち込まれる。
【００１８】  ステップル打込み部５と打込収納カバー６は打ち込み時の強い衝撃に耐えるために金属製にする。ハンマー打設部４は金属製でもよいが、叩いても破損しない硬質プラスチックでも対応できる。その他の部分は汎用プラスチックを使用する。
【実施例】
【００１９】  本発明のステップル打込工具で、電線８を木材Ｍに止着する方法を述べる。片手にステップル打込工具を持ち、押上げレバー２を指で押してハンマー打設部４とステップル打込部５を上げてからステップル８をステップル挿入口７に入れる。ステップル８が磁石９に吸着したら、電線押え部１０を電線Ｄに付けて、木材Ｍに電線挾持部１１を押し当てる。もう一方の手にハンマーＨを持ち、ハンマー打設部４を打つと、ステップル８は木材Ｍに打ち込まれて電線Ｄは止着される。
【符号の説明】
【００２０】１    握り部              ７    ステップル挿入口      １３  ステップル出口
２    押上げレバー        ８    ステップル            １４  ステップル当て部
３    レバー収納部        ９    磁石                  Ｄ    電線
４    ハンマー打設部      １０  電線押え部            Ｈ    ハンマー
５    ステップル打込部    １１  電線挾持部            Ｍ    木材
６    打込収納カバー      １２  レバー軸
【要約】
【課題】  本発明は、多種類の機能を持たず、ハンマー打設時の、強い衝撃に耐えるためにも、強固で簡素な構造にして、ステップルが木材等に円滑に打ち込みができるステップ打込工具を提供することを課題とする。
【解決手段】  正面に設けたコの字形状のステップル挿入口７と、手動で操作する押し上げレバー２と、電線に合わせた長さのステップル打込部５を備えることにより、安全で正確な打ち込み作業が可能になる。
【選択図】図１【図１】
0005961779.tif 000002
【図２】
0005961779.tif 000003
【図３】
0005961779.tif 000004
【図４】
0005961779.tif 000005
【図５】
0005961779.tif 000006